(57)【要約】【課題】ＲＦＩＤタグの脱落を確実に防止しつつ、２枚の接合テープを貼り合わせた構成の識別用長尺体の構造に比して、識別用長尺体の幅をより狭くすることができ、ケーブルコアに対する巻き付けピッチの狭ピッチ化に適した識別用長尺体を提供する。【解決手段】長尺テープ体２の長手方向に沿った折り曲げ線Ｌにより折り曲げることで折り曲げ部５を形成して、長尺テープ体２の幅方向一方側領域Ａ1の粘着層４ａと幅方向他方側領域Ａ2の粘着層４ｂとが識別情報を読み書きできる複数のＲＦＩＤタグ３を挟み貼着しており、複数のＲＦＩＤタグ３は、粘着層４ａおよび粘着層４ｂのいずれか一方の上に配置され、且つ、折り曲げ部５側の長尺テープ体２の長手方向に間隔をもって配列されており、粘着層４ａと粘着層４ｂとは、少なくとも折り曲げ部５とは反対方向に位置する長尺テープ体２の開放端６側において貼着しているものである。【選択図】図１
2012123622.tif 000002
【特許請求の範囲】
【請求項１】
長尺テープ体の片面の上に粘着層が形成されており、
前記長尺テープ体の長手方向に沿った折り曲げ線により折り曲げることで折り曲げ部を形成して、前記折り曲げ線の長尺テープ体の幅方向一方側領域の粘着層と、前記折り曲げ線の長尺テープ体の幅方向他方側領域の粘着層とが識別情報を読み書きできる複数のＲＦＩＤタグを挟み貼着しており、
前記複数のＲＦＩＤタグは、前記幅方向一方側領域の粘着層および前記幅方向他方側領域の粘着層のいずれか一方の上に配置され、且つ、前記折り曲げ部側の前記長尺テープ体の長手方向に間隔をもって配列されており、
前記折り曲げ線の長尺テープ体の幅方向一方側領域の粘着層と、前記折り曲げ線の長尺テープ体の幅方向他方側領域の粘着層とは、少なくとも前記折り曲げ部とは反対方向に位置する長尺テープ体の開放端側において貼着していることを特徴とする識別用長尺体。
【請求項２】
前記折り曲げ線の長尺テープ体の幅方向一方側領域の粘着層と、前記折り曲げ線の長尺テープ体の幅方向他方側領域の粘着層とは、貼着・剥離可能であることを特徴とする請求項１に記載の識別用長尺体。
【請求項３】
請求項１又は２に記載の識別用長尺体をケーブルコアの長手方向に沿って螺旋状に巻回して形成したことを特徴とするケーブル。
【発明の詳細な説明】
【技術分野】
【０００１】
本発明は、光ファイバケーブル、メタルケーブルなどのケーブルを識別するために用いられる識別用長尺体およびこれを備えたケーブルに関するものである。
【背景技術】
【０００２】
近年、製造者、製造年月日、製品番号などの電線・ケーブルに関する情報をＲＦＩＤ（Ｒａｄｉｏ  Ｆｒｅｑｕｅｎｃｙ  ＩＤｅｎｔｉｆｉｃａｔｉｏｎ）タグなどの記録手段に格納する構成の電線・ケーブルの開発が進められている。
【０００３】
なかでも、外装上に、自己のケーブルを識別するための識別情報を記憶し、且つ、外部から非接触で識別情報が読み書きできる情報記憶素子部を連続して配設してなるテープをケーブル長手方向に沿って設けることにより、ケーブルの識別を行う情報記憶素子を備えたケーブルが知られている（例えば、特許文献１参照）。
【０００４】
そして、情報記憶素子を連続して配設したテープ構成としては、例えば、第１の接合テープと、第２の接合テープの間にテープ長手方向に沿って適宜間隔に配置された多数のＲＦＩＤタグを挟み込み、接着又は融着によって接合する構成の識別用長尺体が知られている（例えば、特許文献２参照）。
【０００５】
この形態の識別用長尺体では、ＲＦＩＤタグの脱落を防止するため、接合テープの幅方向においてＲＦＩＤタグの両側に２枚の接合テープが接着又は融着された所定幅の貼り付けしろの部分を有している。
【先行技術文献】
【特許文献】
【０００６】
【特許文献１】特開２００４−１４６０６８号公報
【特許文献２】特開２００４−２６５８６０号公報
【発明の概要】
【発明が解決しようとする課題】
【０００７】
一方で、ケーブルの屈曲動作に対する識別用長尺体のＲＦＩＤタグの機械的耐久性を考慮すると、識別用長尺体のケーブルコアに対する巻き付けピッチはより小さくする必要がある。また、近年では、識別用長尺体のテープ幅よりも狭い巻き付けピッチで巻き付けなければならない要求もあり、この場合には、ケーブルコアに対して識別用長尺体を巻き付ける際に識別用長尺体をラップ巻きしなければならず、ケーブルの最終線径が太径化する問題がある。
【０００８】
そこで、本発明の目的は、これらの問題に対応するために、ＲＦＩＤタグの脱落を確実に防止しつつ、２枚の接合テープを貼り合わせた構成の識別用長尺体の構造に比して、識別用長尺体の幅をより狭くすることができ、ケーブルコアに対する巻き付けピッチの狭ピッチ化に適した識別用長尺体およびこれを備えたケーブルを提供することにある。
【課題を解決するための手段】
【０００９】
本発明に係る識別用長尺体は、長尺テープ体の片面の上に粘着層が形成されており、前記長尺テープ体の長手方向に沿った折り曲げ線により折り曲げることで折り曲げ部を形成して、前記折り曲げ線の長尺テープ体の幅方向一方側領域の粘着層と、前記折り曲げ線の長尺テープ体の幅方向他方側領域の粘着層とが識別情報を読み書きできる複数のＲＦＩＤタグを挟み貼着しており、前記複数のＲＦＩＤタグは、前記幅方向一方側領域の粘着層および前記幅方向他方側領域の粘着層のいずれか一方の上に配置され、且つ、前記折り曲げ部側の前記長尺テープ体の長手方向に間隔をもって配列されており、前記折り曲げ線の長尺テープ体の幅方向一方側領域の粘着層と、前記折り曲げ線の長尺テープ体の幅方向他方側領域の粘着層とは、少なくとも前記折り曲げ部とは反対方向に位置する長尺テープ体の開放端側において貼着しているため、長尺テープ体の折り曲げ部側においては、ＲＦＩＤタグの脱落防止を考慮する必要がないため、折り曲げ部側のいわゆる貼り付けしろを実質的に省略することができ、長尺テープ体の折り曲げ部側とは反対方向に位置する長尺テープ体の開放端側において、長尺テープ体の幅方向一方側領域の粘着層と、幅方向他方側領域の粘着層とを貼着させて、いわゆる貼り付けしろを形成することでＲＦＩＤタグの脱落を確実に防止することができ、２枚の接合テープを貼り合わせた構成の識別用長尺体の構造に比して、識別用長尺体の幅を狭くすることができ、ケーブルコアに対する巻き付けピッチの狭ピッチ化に適した識別用長尺体を提供することができる。
【００１０】
前記折り曲げ線の長尺テープ体の幅方向一方側領域の粘着層と、前記折り曲げ線の長尺テープ体の幅方向他方側領域の粘着層とは、貼着・剥離可能であると良い。
【００１１】
また、本発明は、請求項１又は２に記載の識別用長尺体をケーブルコアの長手方向に沿って螺旋状に巻回して形成したケーブルである。
【発明の効果】
【００１２】
本発明によれば、ＲＦＩＤタグの脱落を確実に防止しつつ、２枚の接合テープを貼り合わせた構成の識別用長尺体の構造に比して、識別用長尺体の幅をより狭くすることができ、ケーブルコアに対する巻き付けピッチの狭ピッチ化に適した識別用長尺体およびこれを備えたケーブルを提供することができる。
【図面の簡単な説明】
【００１３】
【図１】本発明に係る識別用長尺体を示す平面透視図である。
【図２】図１のＸ−Ｘ線断面図である。
【図３】図１の識別用長尺体の製造方法を説明する図である。
【図４】本発明に係るケーブルを示す図である。
【発明を実施するための形態】
【００１４】
以下、本発明の好適な実施の形態を添付図面にしたがって説明する。
【００１５】
図１に、本発明の好適な実施の形態に係る識別用長尺体の平面透視図を示す。また、図２および図３に、長尺テープ体のＲＦＩＤタグ形成部分を抽出して示す。なお、図３は、折り曲げ前の状態の長尺テープ体におけるＲＦＩＤタグ形成側の構造を示しており、図２は、折り曲げた状態の識別用長尺体の断面図を示している。
【００１６】
図１〜３に示すように、本実施の形態に係る識別用長尺体１は、長尺テープ体２の長手方向に沿って適宜間隔に複数のＲＦＩＤタグ３を配置したものである。ＲＦＩＤタグ３の間隔は、読み取り性を考慮し、１ｍ程度の範囲内であることが推奨される。
【００１７】
より具体的には、長尺テープ体２の片面の上に粘着層４が形成されており、長尺テープ体２の長手方向に沿った折り曲げ線Ｌにより折り曲げることで折り曲げ部５を形成して、折り曲げ線Ｌの長尺テープ体２の幅方向一方側領域Ａ1の粘着層４ａと、折り曲げ線Ｌの長尺テープ体２の幅方向他方側領域Ａ2の粘着層４ｂとが識別情報を読み書きできる複数のＲＦＩＤタグ３を挟み貼着しており、複数のＲＦＩＤタグ３は、幅方向一方側領域Ａ1の粘着層４ａおよび幅方向他方側領域Ａ2の粘着層４ｂのいずれか一方（図３中粘着層４ｂ）の上に配置され、且つ、折り曲げ部５側の長尺テープ体２の長手方向に間隔をもって配列されており、折り曲げ線Ｌの長尺テープ体２の幅方向一方側領域Ａ1の粘着層４ａと、折り曲げ線Ｌの長尺テープ体２の幅方向他方側領域Ａ2の粘着層４ｂとは、少なくとも折り曲げ部５とは反対方向に位置する長尺テープ体２の開放端６側において貼着しているものである。
【００１８】
長尺テープ体２のテープ厚み方向一方側（図３中紙面手前側）の表面上には粘着層４が形成されている。この粘着層４の材質は、例えば、アクリル系粘着剤を用いることができる。また、長尺テープ体２の材質は、例えば、ポリエステルフィルムを使用することができる。
【００１９】
図３において、ＲＦＩＤタグ３は、図示しないＲＦＩＤ素子、アンテナ、およびキャリアフィルムとから構成されている。本明細書において、ＲＦＩＤタグ３は情報を無線で送受信するための機能をもつ微小装置を意味するものであり、その種類、形状を問わない。例えば、ＲＦＩＤ素子として、ミューチップ（登録商標、（株）日立製作所製）を使用することができる。また、アンテナは、例えば、ポリエチレンテレフタレートからなるキャリアフィルムに支持されており、キャリアフィルムにラミネートされたアルミニウム箔をエッチング加工することで形成するものを使用することができる。
【００２０】
本発明に係る識別用長尺体１の製造方法は以下の通りである。
【００２１】
送り出しボビンから粘着層４が形成された長尺テープ体２を繰り出し、途中に設けたＲＦＩＤ供給手段から所定の間隔でＲＦＩＤタグ３を搬送中の長尺テープ体２の粘着層４上に供給し、これを押し付ける。
【００２２】
そして、長尺テープ体２のテープ厚み方向一方側の粘着層４表面上には、上記ＲＦＩＤタグ３が、テープ長手方向に沿った折り曲げ線Ｌのテープ幅方向他方側（図３中下側）に位置する。このとき、上記ＲＦＩＤタグ３の一辺は折り曲げ線Ｌの位置に対応している。
【００２３】
長尺テープ体２は、この折り曲げ線Ｌによって折り曲げられるようになっている。なお、ここでは、折り曲げ線Ｌが長尺テープ体２のテープ幅方向の略中央部に位置し、長尺テープ体２をテープ幅方向略中央部で折り曲げる例を示しているが、これに限られず、折り曲げ線Ｌの位置は、ケーブルコアに対する巻き付けピッチの狭ピッチ化に対応してさえいれば、長尺テープ体２のテープ幅方向一方側又は他方側に偏っていても良い。
【００２４】
図２において、長尺テープ体２は、その長手方向に沿った折り曲げ線Ｌにより、上記粘着層４を内側とするように折り曲げられている。
【００２５】
そして、折り曲げ線Ｌの長尺テープ体２の幅方向一方側領域Ａ1の粘着層４ａと、折り曲げ線Ｌの長尺テープ体２の幅方向他方側領域Ａ2の粘着層４ｂとが貼着されて、識別用長尺体１が製造される。
【００２６】
この識別用長尺体１を、図４に示すように、ケーブルコア４１の長手方向に沿って螺旋状に巻回して、その上にシース４２を押出被覆して挿入することで、本発明のケーブル４３が得られる。なお、シース４２はなくても良い。また、ケーブルコア４１に巻回した識別用長尺体１の上に、必要に応じて押えテープを施しても良い。更に、識別用長尺体１はケーブルコア４１の長手方向に沿って縦添えされても良い。
【００２７】
本発明は、長尺テープ体２の長手方向に沿った折り曲げ線Ｌにより折り曲げることで折り曲げ部５を形成して、折り曲げ線Ｌの長尺テープ体２の幅方向一方側領域Ａ1の粘着層４ａと、折り曲げ線Ｌの長尺テープ体２の幅方向他方側領域Ａ2の粘着層４ｂとが識別情報を読み書きできる複数のＲＦＩＤタグ３を挟み貼着する構成であるため、長尺テープ体２の折り曲げ部５側においては、ＲＦＩＤタグ３の脱落防止を考慮する必要がなく、長尺テープ体２の折り曲げ部５側とは反対方向に位置する長尺テープ体２の開放端６側において長尺テープ体２の幅方向一方側領域Ａ1の粘着層４ａと、長尺テープ体２の幅方向他方側領域Ａ2の粘着層４ｂとを貼着させて、いわゆる貼り付けしろを形成すれば十分であるため、折り曲げ部５側のいわゆる貼り付けしろを実質的に省略することができ、接合テープにおけるＲＦＩＤタグの幅方向両側に開放端を有する構成である２枚の接合テープを貼り合わせた構成の識別用長尺体の構造に比して、識別用長尺体の幅を狭く形成することができ、ケーブルコアに対する巻き付けピッチの狭ピッチ化に適した識別用長尺体を提供することができる。
【００２８】
なお、本実施の形態では、上記ＲＦＩＤタグ３の一辺は折り曲げ線Ｌの位置に対応しており、長尺テープ体２はこの折り曲げ線Ｌにより折り曲げられるようになっているので、折り曲げ部５側にはいわゆる貼り付けしろが形成されていない。そのため、折り曲げ部５側の識別用長尺体１の幅は、実質的に長尺テープ体２の厚さ分に相当している。
【００２９】
もっとも、本発明は、必ずしも上記ＲＦＩＤタグ３の一辺が折り曲げ線Ｌの位置に対応し、折り曲げ部５側の貼り付けしろをなくした構成に限定する必要はなく、本発明の効果を奏する限りにおいては、折り曲げ線ＬからＲＦＩＤタグ３の一辺との間に距離を設けて折り曲げ線ＬからＲＦＩＤタグ３の一辺との間において、幅方向一方側領域Ａ1の粘着層４ａと幅方向他方側領域Ａ2の粘着層４ｂとが貼着する貼り付けしろを形成する構成を排除するものではない。
【００３０】
なお、本発明において、識別用長尺体１を適用する対象物としてのケーブルは、通信ケーブル、複合ケーブル、電力ケーブル、可動部ケーブルのいずれであっても良く、あらゆる電線・ケーブルに適用することができる。また、ケーブルコア４１は、絶縁電線を複数本集合させたものでも良く、単線構造であっても良い。
【００３１】
また、本発明では、折り曲げ線Ｌの長尺テープ体２の幅方向一方側領域Ａ1の粘着層４ａと、折り曲げ線Ｌの長尺テープ体２の幅方向他方側領域Ａ2の粘着層４ｂとは、少なくとも折り曲げ部５とは反対方向に位置する長尺テープ体２の開放端６において貼着することで、開放端６側のＲＦＩＤタグ３の脱落を防止するための貼り付けしろを形成している。本発明における両粘着層４ａ，４ｂの粘着領域は、ＲＦＩＤタグ３の占有箇所以外の全ての領域であっても良く、またＲＦＩＤタグ３が所定位置において粘着層４により位置決めされている限りにおいては、開放端６側だけを貼着し、折り曲げ部５側の隣接するＲＦＩＤタグ３間の領域は貼着していない構成であっても良い。
【００３２】
また、本発明では、テープ幅方向一方側領域Ａ1の粘着層４ａと、テープ幅方向他方側領域Ａ2の粘着層４ｂとは、貼着・剥離可能とすることが好ましい。
【００３３】
識別用長尺体１は、ＲＦＩＤタグ３を押し付けて長尺テープ体２に貼着した後に巻き取りボビンに巻き取り、その後にＲＦＩＤタグ３が正常に機能するか検査する工程を経てケーブルコア４１の長手方向に沿って螺旋状に巻回して、その上にシース４２を押出被覆している。これらＲＦＩＤタグ３の中には検査工程において、長尺テープ体２への押し付けの衝撃や、巻き取り工程における張力によりＲＦＩＤ素子やアンテナが損傷してしまい、通信不能であることが判明することがある。このような場合、従来は、識別用長尺体１のうち、通信不能なＲＦＩＤタグ３を含む領域を切断、削除して分離した端部同士を再び接続する等の煩雑な作業を行っていた。これに対して、本発明では、上述の構成であるため、該当箇所の両粘着層４ａ，４ｂを互いに剥離した後に、壊れたＲＦＩＤタグ３を取り除き、正常に機能するＲＦＩＤタグ３を挿入して再度両粘着層４ａ，４ｂを貼着するという簡便な手法で壊れたＲＦＩＤタグ３を交換できる識別用長尺体１を提供することができる。
【００３４】
なお、繰り返し貼着・剥離可能な粘着層４としては、例えば、アクリル系粘着剤に対してプラズマ処理を施したものを使用することができ、この他にもポリビニルエーテル樹脂系、ウレタン樹脂系、シリコーン樹脂系の粘着剤を使用することができる。
【符号の説明】
【００３５】
１  識別用長尺体
２  長尺テープ体
３  ＲＦＩＤタグ
４  粘着層
４ａ  折り曲げ線の長尺テープ体の幅方向一方側領域の粘着層
４ｂ  折り曲げ線の長尺テープ体の幅方向他方側領域の粘着層
５  折り曲げ部
６  開放端
Ａ1  折り曲げ線の長尺テープ体の幅方向一方側領域
Ａ2  折り曲げ線の長尺テープ体の幅方向他方側領域
Ｌ  折り曲げ線
【図１】
2012123622.tif 000003
【図２】
2012123622.tif 000004
【図３】
2012123622.tif 000005
【図４】
2012123622.tif 000006